(57)【要約】【課題】  端末の表示部が出力する画面のズームレベルを調節する方法及びズームレベル調節が可能な端末を提供すること。【解決手段】  本発明のズームレベル調節方法は、タッチスクリーンを備えた端末であって、第１ズームレベルの画面をディスプレーする段階と、上記タッチスクリーンの少なくとも１つの地点でズームインまたはズームアウト入力を感知する段階と、  上記少なくとも１つの地点で上記ズームインまたはズームアウト入力を予め設定された第１時間の間連続で感知するか判断する段階、及び上記ズームインまたはズームアウト入力を連続で感知すると、第２ズームレベルの画面をディスプレーする段階を含むことを特徴とする。【選択図】図４
2014063498.tif 000002
【特許請求の範囲】
【請求項１】
タッチスクリーンを備えた端末であって、
第１ズームレベルの画面を表示部がディスプレーする段階と、
前記タッチスクリーンの少なくとも１つの地点でズームインまたはズームアウト入力をタッチスクリーンパネルが感知する段階と、
前記少なくとも１つの地点で前記タッチスクリーンパネルが前記ズームインまたはズームアウト入力を予め設定された第１時間の間連続で感知するか判断する段階、及び
前記ズームインまたはズームアウト入力を前記第１時間の間連続で感知すると、前記表示部が  第２ズームレベルの画面をディスプレーする段階を含むことを特徴とする端末のズームレベル調節方法。
【請求項２】
前記タッチスクリーンパネルが前記ズームインまたはズームアウト入力を前記第１時間より長い第２時間の間連続で感知するか判断する段階、及び
前記第２時間の間前記ズームインまたはズームアウト入力を連続で感知すると、前記表示部が第３ズームレベルの画面をディスプレーする段階をさらに含むことを特徴とする請求項１に記載の端末のズームレベル調節方法。
【請求項３】
前記タッチスクリーンパネルが前記第２時間の間前記ズームイン入力を連続で感知した場合、
前記第３ズームレベルは第２ズームレベルより拡大されたレベルであることを特徴とする、請求項２に記載の端末のズームレベル調節方法。
【請求項４】
前記タッチスクリーンパネルが前記第２時間の間前記ズームアウト入力を連続で感知した場合、
前記第３ズームレベルは第２ズームレベルより縮小されたレベルであることを特徴とする、請求項２に記載の端末のズームレベル調節方法。
【請求項５】
前記表示部が前記第２ズームレベルの画面をディスプレーする段階は、
既設定された大きさのズームイン画面をディスプレーすることを特徴とする、請求項１に記載の端末のズームレベル調節方法。
【請求項６】
前記表示部が前記第２ズームレベルの画面をディスプレーする段階は、
既設定された大きさのズームアウト画面をディスプレーすることを特徴とする、請求項１に記載の端末のズームレベル調節方法。
【請求項７】
前記表示部が前記第２ズームレベルの画面をディスプレーする段階は、
ズームレベルの調節のためのツールバー（ｔｏｏｌｂａｒ）をディスプレーする段階をさらに含むことを特徴とする請求項１に記載の端末のズームレベル調節方法。
【請求項８】
タッチスクリーンを備えた端末であって、
第１ズームレベルの画面をディスプレーする表示部、
前記タッチスクリーンの少なくとも１つの地点でズームインまたはズームアウト入力を感知するタッチスクリーンパネル、及び
前記少なくとも１つの地点でタッチスクリーンパネルが前記ズームインまたはズームアウト入力を予め設定された第１時間の間連続で感知するか判断して、  前記表示部が第２ズームレベルの画面をディスプレーするように制御する制御部を含むことを特徴とするズームレベル調節が可能な端末。
【請求項９】
前記制御部は、
前記タッチスクリーンパネルが前記ズームインまたはズームアウト入力を前記第１時間の間より長い第２時間の間連続で感知すると、前記表示部が第３ズームレベルの画面をディスプレーするように制御することを特徴とする請求項８に記載のズームレベル調節が可能な端末。
【請求項１０】
前記制御部は、
前記タッチスクリーンパネルが前記第２時間の間前記ズームイン入力を連続で感知すると、前記第３ズームレベルを前記第２ズームレベルより拡大されたレベルで決定することを特徴とする請求項９に記載のズームレベル調節が可能な端末。
【請求項１１】
前記制御部は、
前記タッチスクリーンパネルが前記第２時間の間前記ズームアウト入力を連続で感知すると、前記第３ズームレベルを前記第２ズームレベルより縮小されたレベルで決定することを特徴とする請求項９に記載のズームレベル調節が可能な端末。
【請求項１２】
前記制御部は、
前記表示部が前記第２ズームレベルの画面を既設定された大きさのズームイン画面でディスプレーするように制御することを特徴とする請求項８に記載のズームレベル調節が可能な端末。
【請求項１３】
前記制御部は、
前記表示部が前記第２ズームレベルの画面を既設定された大きさのズームアウト画面でディスプレーするように制御することを特徴とする請求項８に記載のズームレベル調節が可能な端末。
【請求項１４】
前記制御部は、
前記表示部がズームレベルの調節のためのツールバーをディスプレーすることを特徴とする請求項８に記載のズームレベル調節が可能な端末。
【発明の詳細な説明】
【技術分野】
【０００１】
本発明は、端末の入力に係り、より詳しくは、端末の表示部が出力する画面のズームレベルを調節する方法及びズームレベル調節が可能な端末に関する。
【背景技術】
【０００２】
近年、タッチスクリーンを備えた端末の普及が普遍化されて端末の入力方法としてフルタッチスクリーン方式が利用されている。これによって端末は使用者から指タッチ入力を受けて当該の機能を行う。特に、使用者は端末の表示部全面に出力される画面の大きさをタッチ入力方式を利用して拡大（ｚｏｏｍ  ｉｎ）または縮小（ｚｏｏｍ  ｏｕｔ）  調節することができる。このような画面の大きさ調節には、一般的に、ダブルタップ（ｄｏｕｂｌｅ  ｔａｐ）入力方式、ピンチイン／アウト（ｐｉｎｃｈ  ｉｎ／ｏｕｔ）  入力が用いられる。
【０００３】
ダブルタップ入力方式とは、端末の表示部に２回の連続的な指タッチ入力を加えてタッチスクリーンパネルがこれを感知するようにすることである。ダブルタップ入力によって、端末は出力することができる当該の画面の大きさを一定の大きさで拡大または縮小表示する。また、ピンチイン／アウト入力とは、  端末の表示部上の２つの点に対して指タッチ入力を維持したまま、２つの点をつまんで２つの点の間の距離を狭めるか（ｐｉｎｃｈ  ｉｎ）、あるいは、広げる（ｐｉｎｃｈ  ｏｕｔ）動作をタッチスクリーンパネルが感知するようにすることである。ピンチイン／アウト入力によっても、  端末は出力する画面の大きさを望む大きさで縮小させたり拡大することができる。
すなわち、ダブルタップ入力方式、ピンチイン／アウト入力は、端末の表示部が出力する画面に対してズームイン／アウトを行うようにする。
【０００４】
一方、上記ピンチイン／アウト入力は、指がタッチする２つの点の間の距離に依存して画面の大きさを調節する。したがって、これを通じて端末の表示部が表示する画面を望む大きさで拡大または縮小するためには反復的なピンチイン／アウト入力動作を行うべきである。
また、このような反復的なピンチイン／アウト入力を避けるために、ピンチイン／アウト入力動作途中にダブルタップ入力を行うと、  端末の表示部は画面を出力することができる最小大きさの画面を出力する。すなわち、  ピンチアウト入力途中に使用者が端末の出力画面大きさをさらに拡大したい場合、  端末がダブルタップ入力を受けると、端末の表示部が出力する画面はむしろ縮小される。また、ピンチイン入力途中に使用者が端末の出力画面大きさを戻して拡大したい場合、  端末がダブルタップ入力を受けると、端末の表示部が出力する画面は使用者の希望と異なり縮小される。
【発明の概要】
【発明が解決しようとする課題】
【０００５】
本発明は、上記のような問題点を解決するためになされたものであって、端末のタッチスクリーンパネルがズームイン／アウト（ｚｏｏｍ  ｉｎ／ｏｕｔ）  入力を感知して、  連続的に上記ズームイン／アウト入力を予め設定された一定時間の間感知することによって、  反復的なズームイン／アウト入力を行わないようにする端末のズームレベル調節方法及びズームレベル調節が可能な端末の提供をその目的とする。
【課題を解決するための手段】
【０００６】
このような問題点を解決するための本発明の実施例による端末のズームレベル調節方法は、タッチスクリーンを備えた端末であって、第１ズームレベルの画面をディスプレーする段階と、上記タッチスクリーンの少なくとも１つの地点でズームインまたはズームアウト入力を感知する段階と、上記少なくとも１つの地点で上記ズームインまたはズームアウト入力を予め設定された第１時間の間連続で感知するか判断する段階、及び上記ズームインまたはズームアウト入力を連続で感知すると、第２ズームレベルの画面をディスプレーする段階を含むことを特徴とする。
【０００７】
本発明の実施例によるズームレベル調節が可能な端末は、  タッチスクリーンを備えた端末であって、第１ズームレベルの画面をディスプレーする表示部と、上記タッチスクリーンの少なくとも１つの地点でズームインまたはズームアウト入力を感知するタッチスクリーンパネル及び上記少なくとも１つの地点でタッチスクリーンパネルが上記ズームインまたはズームアウト入力を予め設定された第１時間の間連続で感知するか判断して、  上記表示部が第２ズームレベルの画面をディスプレーするように制御する制御部を含むことを特徴とする。
【発明の効果】
【０００８】
本発明の実施例による端末のズームレベル調節方法及びズームレベル調節が可能な端末は、端末のタッチスクリーンパネルがズームイン／アウト入力を感知して、  連続的に上記ズームイン／アウト入力を予め設定された一定時間の間感知することによって、  反復的なズームイン／アウト入力を行わないようにする。これによって本発明の方法及び端末は使用者が端末から望むズームレベルの画面を獲得するに当り使用便宜性を増大させる。
【図面の簡単な説明】
【０００９】
【図１】本発明の実施例による端末の構成を概略的に示したブロック図である。
【図２】本発明の実施例による端末の表示部が提供する画面を縮小するための入力方法を説明する図である。
【図３】本発明の実施例による端末の表示部が提供する画面を拡大するための入力方法を説明する図である。
【図４】本発明の実施例による端末の表示部が提供する画面のズームレベルを調節するための入力方法を説明するための流れ図である。
【図５】本発明の実施例による端末の表示部が提供する画面のズームレベルが調節されることを説明する例示図である。
【図６】本発明の他の実施例による端末の表示部が提供する画面のズームレベルを調節するためのツールバーを説明するための例示図である。
【発明を実施するための形態】
【００１０】
以下、添付の図面を参照して本発明を好ましい実施例によって詳しく説明する。同一参照番号は一般的に同一であるか、あるいは、同じ部分を参照するために図面全般に用いられる。よく知られた機能と構造に対する詳しい説明は本発明の主題を歪曲することを防止するために、ここで省略される。
【００１１】
本発明において、「ズームレベル（ｚｏｏｎ  ｌｅｖｅｌ）」は、端末の表示部１２３が出力する画面の大きさ等級である。例えば、端末の表示部が任意の大きさを有する画面、すなわち、任意のズームレベル画面をディスプレーしている時、ズームアウト入力を受けた場合を説明する。ズームアウト入力を受けた後に表示部がディスプレーする画面のズームレベルは上記ズームアウト入力を受ける前にディスプレーした画面のズームレベルより縮小される。
反対にズームイン（ｚｏｏｍ−ｉｎ）入力を受けた後に表示部がディスプレーする画面のズームレベルは、上記ズームイン入力を受ける前にディスプレーした画面のズームレベルより拡大される。
この時、上記各ズームレベルの縮小または拡大倍率は製造者または使用者の選択によって決定できる。
【００１２】
ここで、第１ズームレベル画面とは、端末の表示部が出力した任意の大きさを有するズームレベル画面を言う。すなわち、第１ズームレベル画面は、タッチスクリーンパネルが使用者からズームインまたはズームアウト入力を受けない時にその時点で表示画面に表示されている画面を指す。しかし、第１ズームレベル画面とは、ズームイン又はズームアウト入力を一度も受けた事がない状態の画面を意味するわけではない。すなわち、サービス提供者や端末が提供するデフォルトサイズの画面だけが第１ズームレベルに該当するわけではない。
【００１３】
例えば、本発明の実施例によると、使用者からタッチスクリーンパネルがズームインまたはズームアウト入力を受けた後、  制御部は予め設定された時間以上ズームインまたはズームアウト入力を連続して感知する。制御部は、このような入力を連続して感知すると表示部に特定ズームレベルを有する画面を出力するように制御する。すなわち、上記の一連の過程を経て予め設定された水準でズームレベル変更が起きるのに対し、第１ズームレベルは本発明の実施を通じてズームレベル変更がある前のズームレベルを言う。したがって上記過程以前に何らかの理由でサービス提供者や端末が提供する画面のズームレベルに対する変更があった場合には、上記過程以前の画面が有するズームレベル値が第１ズームレベル値である。すなわち、サービス提供者や端末が提供するデフォルトズームレベル値を「ｌｅｖｅｌ  １」と仮定する時、この後、何らかの理由で表示部がディスプレーするズームレベルが「ｌｅｖｅｌ  ２」になったとしても、上記ズームレベル変更過程を経なかったら、「ｌｅｖｅｌ  ２」のズームレベルが第１ズームレベルである。
【００１４】
本発明による端末のズームレベル調節方法及びズームレベル調節が可能な端末は、タッチスクリーンを備えた端末、特に携帯端末に適用される。このような携帯端末は、携帯電話、スマートフォン、タブレットＰＣ（ｔａｂｌｅｔ  ｐｅｒｓｏｎａｌ  ｃｏｍｐｕｔｅｒ）、  ハンドヘルド（ｈａｎｄ−ｈｅｌｄ）ＰＣ、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）だけでなくタッチスクリーンを備えたカメラなどになることができることは自明である。以下説明では本発明による端末のズームレベル調節方法及びズームレベル調節が可能な端末が携帯端末機に適用されると仮定して説明する。
【００１５】
図１は、本発明の実施例による端末の構成を概略的に示したブロック図である。
図１を参照すれば、本発明の端末１００は、通信部１１０、タッチスクリーン１２０、制御部１３０の構成要素を含む。
【００１６】
上記通信部１１０は、端末１００の通信機能を支援する構成要素である。このような通信部１１０は、端末１００が通信機能を支援する端末形態で製作される場合、追加できる構成要素である。したがって、本発明が適用されることができる端末１００が通信機能を支援しない場合、通信部１１０は端末１００の構成で省略できる。また上記通信部１１０は、使用者要請に従って活性化され、この時、通信部１１０制御のための多様なキーマップ、  制御キーマップなどが表示部１２３に出力される。
【００１７】
通信部１１０は、端末１００の通信機能、特に移動通信機能を支援するために移動通信モジュールの形態で設けることができる。このような通信部１１０は、移動通信システムと通信チャンネルを形成して端末１００の移動通信機能遂行のための信号送受信を支援する。
例えば、通信部１１０は、移動通信システムと音声サービスチャンネル、映像サービスチャンネル、データサービスチャンネルのうちの少なくとも１つを形成して、当該のサービスチャンネルによる特定信号の送受信を支援する。
【００１８】
上記タッチスクリーン１２０は、端末１００運用に必要な多様な画面インターフェースを提供する構成要素である。このような本発明のタッチスクリーン１２０は、タッチスクリーンパネル１２１と表示部１２３を含んで構成される。そしてタッチスクリーンパネル１２１は、表示部１２３画面全体またはそれ以上の大きさを有するように形成されて表示部１２３を基準でフルタッチスクリーン形態で運用されることができる。
【００１９】
タッチスクリーン１２０は、端末１００の運用に必要な待機画面、メニュー画面及び使用者が端末を通じて多様な作業を行うための各種アプリケーション実行画面、イメージ、  動映像画面などを表示部１２３を通じて表示する。
【００２０】
タッチスクリーンパネル１２１は、タッチスクリーン１２０の全面に装着されて、タッチスクリーン１２０に対する使用者のタッチジェスチャーに応答してタッチイベントを発生させて制御部１３０へ伝達する。これによって制御部１３０は、タッチスクリーンパネル１２１を通じて入力されるタッチイベントから使用者のタッチジェスチャーを感知して、感知されたタッチジェスチャーに応答して上記構成を制御する。一方、タッチスクリーンパネル１２１は、抵抗膜方式（ｒｅｓｉｓｔｉｖｅ  ｔｙｐｅ）、静電容量方式（ｃａｐａｃｉｔｉｖｅ  ｔｙｐｅ）、  電子誘導方式（ｅｌｅｃｔｒｏｍａｇｎｅｔｉｃ  ｉｎｄｕｃｔｉｏｎ  ｔｙｐｅ）及び圧力方式（ｐｒｅｓｓｕｒｅ  ｔｙｐｅ）などが適用されることができる。
【００２１】
制御部１３０は、本発明の実施例による端末のズームレベル調節方法を行うことにおいて要求される信号伝達と処理及び電源の供給と分配などを制御する。また制御部１３０は、端末のズームレベル調節方法を実施するためにタッチスクリーンパネル１２１が受ける各種タッチジェスチャー入力を感知する。制御部１３０は、タッチジェスチャー入力の種類を感知して、タッチジェスチャー入力がズームイン命令またはズームアウト命令のうちのいずれか１つに該当するのか判断する。また制御部１３０は、上記判断したズームインまたはズームアウト命令に該当するタッチジェスチャーを予め設定された時間の間連続で感知するか判断する。制御部１３０が上記予め設定された時間の間タッチジェスチャーが持続したと判断する場合、ズームレベルを予め設定した特定水準に変更する。これに対する詳細な説明は後述する。
【００２２】
デジタルコンバージェンス（ｄｉｇｉｔａｌ  ｃｏｎｖｅｒｇｅｎｃｅ）  趨勢により端末１００の構成の変形が非常に多様であり、かつ容易になっている。したがって、全部列挙したり図面に示したりしないが、  本発明による端末１００は、端末の位置変化に係る情報を感知するためのセンサーモジュールと、端末１００の位置を測定するためのＧＰＳ（Ｇｌｏｂａｌ  Ｐｏｓｉｔｉｏｎｉｎｇ  Ｓｙｓｔｅｍ）モジュールと、  カメラモジュールをさらに含むことができる。
【００２３】
図２は、本発明の実施例による端末１００の表示部１２３が提供する画面を縮小するための入力方法を説明する図である。
図２を参照すれば、  図２の左側図面２１０と右側図面２２０は本発明の実施例による端末１００のタッチスクリーン１２０を通じて端末１００がピンチイン（ｐｉｎｃｈ  ｉｎ）  入力を受けることを説明するための図面である。
【００２４】
図２の左側図面２１０でタッチスクリーンパネル１２１は、使用者からタッチスクリーン１２０の２つの地点にタッチ入力２１５を受ける。制御部１３０は、タッチスクリーンパネル１２１から上記２つの地点にタッチ入力２１５を受けたという信号を受信する。制御部１３０は、上記２つの地点に対するタッチ入力２１５の距離が減少される場合、これをピンチイン入力と判断する。
【００２５】
図２の右側図面２２０で一番目の２つの地点に対するタッチ入力２１５の距離が二番目の２つの地点に対するタッチ入力２２５の距離に減少される状態を説明する。上記２つの地点が狭められる間にタッチスクリーン１２０で指タッチ状態が維持される。上記のようにこれはピンチイン入力であるので一般的な場合には２つの地点距離の変化に相応して画面が縮小される。
【００２６】
表示部１２３がディスプレーする画面においてズームアウトが発生する。この時のズームアウトになる程度、  換言すればズームレベルが減少される程度は使用者または製造者によって予め設定できるが、  一般的に２つの地点距離変化に応じてズームレベルが減少する。
【００２７】
右側図面２２０のピンチイン入力が完了された状態、すなわち２つの地点に対するタッチ入力２２５の間の距離が減少された後、それ以上の距離変化が無しに一定時間の間維持されると制御部１３０はこれを新しい命令として認識する。すなわち、  制御部１３０は予め設定された第１時間の間の２つの地点に対するタッチ入力２２５がホールディング（ｈｏｌｄｉｎｇ）される場合、これを予め設定されたズームレベルの画面を呼び出しなさいという入力と判断する。したがって、右側図面２２０のようにピンチイン入力が予め設定された時間の間維持されると、  制御部１３０は予め設定されたレベルに減少されたズームレベルの画面を表示部１２３がディスプレーするように制御する。
【００２８】
例えば、上記予め設定されたレベルは、ｎ秒の間２つの地点に対するタッチ入力２２５が続けば、  現在画面のズームレベルでピンチインを２回行った時にディスプレーされるズームレベルにできる。または、予め設定されたレベルは、表示部１２３がディスプレーできる最低水準のズームレベルにできる。
【００２９】
他の実施例によれば、  上記予め設定された時間は２つの区間以上の複数の区間に分けることができる。上記例でｎ秒はｎ１、ｎ２などの複数の区間であることができる。ｎ１秒とｎ２秒は最初のズームインまたはズームアウト入力が完了された瞬間から起算して、  ２つの地点のタッチが維持されない瞬間（タッチ解除瞬間）まで測定した時間である。この場合、ｎ１秒よりｎ２秒はさらに長い時間であり、ｎ１秒の時間の間の入力によってズームレベルが減少するのと同じ率でｎ２秒の時間の間入力でズームレベルが減少することができる。また、ｎ１秒の時間の間の入力によってズームレベルが減少して、ｎ２秒の時間の間の入力によって最低水準のズームレベルにジャンプダウンすることもできる。
【００３０】
図３は、本発明の実施例による端末の表示部が提供する画面を拡大するための入力方法を説明する図である。
図３を参照すれば、図３の左側図面３１０と右側図面３２０は端末１００のタッチスクリーン１２０を通じて端末１００がピンチアウト入力を受けることを説明するための図面である。
【００３１】
図３の左側図面３１０でタッチスクリーンパネル１２１は、使用者からタッチスクリーン１２０の２つの地点にタッチ入力３１５を受ける。制御部１３０は、タッチスクリーンパネル１２１から上記２つの地点にタッチ入力３１５を受けたという信号を受信する。制御部１３０は、上記２つの地点に対するタッチ入力３１５の距離が増加する場合、これをピンチアウト入力と判断する。
【００３２】
次いで図３の右側図面３２０で一番目の２つの地点に対するタッチ入力３１５の距離が二番目の２つの地点に対するタッチ入力３２５の距離に増加した状態を説明する。上記２つの地点が増加される間にタッチスクリーン１２０で指タッチ状態が維持される。上記のようにこれはピンチアウト入力であるので一般的な場合には２つの地点距離の変化に相応する程度画面が拡大（拡張）される。すなわち、表示部１２３がディスプレーする画面においてズームインが発生する。この時のズームインされる程度、換言すればズームレベルの高くなる程度は使用者または製造者によって予め設定できるが、一般的に２つの地点距離の変化に相応してズームレベルが高くなる。
【００３３】
右側図面３２０のピンチイン入力が完了された状態、すなわち２つの地点に対するタッチ入力３２５の間の距離が増加した後、それ以上の距離変化が無しに一定時間の間維持されると、制御部１３０はこれを新しい命令として認識する。具体的に、制御部１３０は予め設定された第１  時間の間の２つの地点に対するタッチ入力３２５がホールディング（ｈｏｌｄｉｎｇ）される場合、これを予め設定されたズームレベルの画面を呼び出しなさいという入力と判断する。したがって、右側図面３２０のようにピンチアウト入力が予め設定された時間の間維持されると、  制御部１３０は予め設定されたレベル程度高くなったズームレベルの画面を表示部１２３がディスプレーするように制御する。例えば、  上記予め設定されたレベルは、ｎ秒の間２つの地点に対するタッチ入力３２５が続けば、  現在画面のズームレベルでピンチアウトを２回行った時、ディスプレーされるズームレベルにできる。または予め設定されたレベルは、表示部１２３がディスプレーできる最高水準のズームレベルにできる。
【００３４】
本発明のまた他の実施例によれば、  上記予め設定された時間は２つの区間以上の複数の区間に分けることができる。すなわち、上記例でｎ秒はｎ１、ｎ２秒の複数の区間であることができる。ｎ１秒とｎ２秒は、最初のズームインまたはズームアウト入力が完了された瞬間から起算して、２つの地点のタッチが維持されない瞬間（タッチ解除瞬間）まで測定した時間である。この場合、ｎ１秒よりｎ２秒はさらに長い時間で、ｎ１秒の時間の間入力によってズームレベルが高くなるのと同じ率でｎ２秒の時間の間入力でズームレベルが増加する。また、ｎ１秒の時間の間の入力によってズームレベルが高くなり、ｎ２秒の時間の間の入力によって最高水準のズームレベルに増加することもできる。
【００３５】
上記図２及び図３で例として説明したｎ１秒、ｎ２秒のように入力時間の区間が分けられた場合、それぞれの区間の入力時間を第１時間及び第２時間と定義する。
第１時間と第２時間は、最初のズームインまたはズームアウト入力が完了された瞬間から起算して、２つの地点のタッチが維持されない瞬間まで測定した時間である。また、同様に例として説明した上記現在画面のズームレベルは第１ズームレベルとして見なす。第１  時間、第２時間の入力によって表示部１２３がディスプレーする画面のズームレベルはそれぞれ第２ズームレベル、第３ズームレベルで定義することができる。
【００３６】
また、上記図２及び図３からタッチ入力方式に対して主にピンチイン／アウト入力を説明したが、これは本発明が支援可能な入力方式のうちの１つの例示に過ぎず本発明に適用される入力方式はこれに限定されない。
【００３７】
図４は、本発明の実施例による端末の表示部が提供する画面のズームレベルを調節するための入力方法を説明するための流れ図である。
図５は、本発明の実施例による端末の表示部が提供する画面のズームレベルが調節されることを説明する例示図であり、図６は本発明の他の実施例による端末の表示部が提供する画面のズームレベルを調節するための  ツールバー（Ｔｏｏｌｂａｒ）を説明するための例示図である。
【００３８】
図４を参照すれば、段階４１０で制御部１３０は、表示部１２３が第１ズームレベル画面をディスプレーするように制御する。上記説明したように第１ズームレベル画面はサービス提供者や端末のデフォルトに提供する大きさの画面ズームレベルを意味するのではなく、本発明の実施の前に表示部１２３が表示する画面のズームレベルを意味する。すなわち、図５を参照すれば左側図または右側図共に第１ズームレベル画面をディスプレーした場合に該当することができる。
【００３９】
段階４２０で制御部１３０は、タッチスクリーンパネル１２１を通じてタッチ入力を受信してこれを判断して、  ズームイン入力またはズームアウト入力のうちのいずれか１つに該当するか判断する。例えば制御部１３０は、ピンチイン入力またはピンチアウト入力を受けたか判断する。制御部１３０がピンチイン入力を受けたと判断すると、ズームアウト入力と判断して、ピンチアウト入力を受けたと判断すると、ズームイン入力と判断する。
【００４０】
段階４３０で制御部１３０は、上記感知したズームインまたはズームアウト入力が予め設定された時間以上連続された入力として感知されるか判断する。例えば、制御部１３０はピンチイン入力が完了された場合、  ２つの地点のタッチ入力２２５が減少された場合に予め設定された時間の間２つの地点に指タッチ入力が維持されるか判断する。予め設定された時間は製造者または使用者設定によって予め決定できる。
【００４１】
本発明の他の実施例によれば、予め設定された時間は複数の区間に分けられる。例えば、タッチ入力がｎ秒間維持されると第１  時間、再びｎ秒が維持されたりｍ秒が維持されると第２時間と区分される。
【００４２】
段階４４０で制御部１３０は、表示部１２３が第２ズームレベル画面をディスプレーするように制御する。第２ズームレベル画面とは、第１ズームレベルに比べて予め設定されたレベル程度高いか、あるいは低いレベルの画面である。すなわち、第１ズームレベル画面より予め決まった倍率程度拡大されたり、縮小された画面である。場合によっては制御部１３０が表示部１２３に表示できる最大画面または最小画面である。
【００４３】
図５を参照すれば、例えば第１  ズームレベル画面が図５の左側図面の場合、制御部１３０が先ずズームイン入力を感知して、  次いでズームイン入力が完了された地点にタッチ入力がｎ秒間の維持されることを感知すると表示部１２３が出力する第２ズームレベル画面は図５の右側画面となる。
【００４４】
反対に例えば、第１ズームレベル画面が図５の右側図面の場合、制御部１３０が先ずズームアウト入力を感知して、次いでズームアウト入力が完了された地点にタッチ入力がｎ秒間の維持されることを感知すると表示部１２３が出力する第２ズームレベル画面は図５  の左側画面となる。すなわち、第１ズームレベルより第２ズームレベルが高いズームレベルを意味するわけではない。
【００４５】
次いで、上記段階４３０で説明した予め設定された時間が複数の区間である第１時間、  第２時間で分けられた場合に段階４４０で制御部１３０は、表示部１２３が上記時間区間別で第２ズームレベル画面と第３ズームレベル画面を区分してディスプレーするように制御する。
【００４６】
例えば、制御部１３０は予め設定した第１時間の間ズームイン入力が維持されると表示部１２３が第２ズームレベルの画面をディスプレーするように制御する。次いで予め設定された第１時間より長い第２時間の間ズームイン入力が維持されると表示部１２３が第３ズームレベルの画面をディスプレーするように制御する。この時、第２ズームレベルより第３ズームレベルが高いレベルである。
【００４７】
この時、  表示部１２３は、ズームレベルを増加させて予め設定された倍率によって画面を拡大して見せ、または第１時間の入力が維持される間には予め設定された倍率によって画面を拡大してディスプレーしてから第２時間の入力が維持されると、最大大きさの画面をディスプレーする。
【００４８】
反対に制御部１３０は、予め設定した第１時間の間ズームアウト入力が維持されると表示部１２３が第２ズームレベルの画面をディスプレーするように制御する。予め設定された第１時間より長い第２時間の間ズームアウト入力が維持されると表示部１２３が第３ズームレベルの画面をディスプレーするように制御する。この時、第２ズームレベルより第３ズームレベルが低いレベルである。
【００４９】
この時、  表示部１２３は、ズームレベルを減少させて予め設定された倍率によって画面を縮小して見せることができ、または第１時間の入力が維持される間には予め設定された倍率によって画面を縮小してディスプレーしてから第２時間の入力が維持されると、  最小大きさの画面をディスプレーする。上記ズームイン入力がピンチアウト入力であり、ズームアウト入力がピンチイン入力であれば、ズームイン入力による第２ズームレベル画面はピンチアウトを１回行った画面よりはズームレベルが高い画面である。ズームアウト入力による第２ズームレベル画面はピンチインを１回行った画面よりはズームレベルが低い画面である。
【００５０】
一方、段階４２０で制御部１３０がズームイン入力またはズームアウト入力を感知しない場合、段階４５０で端末１００は当該の機能を行う。これは画面の拡大または縮小と無関係な機能であることができる。また段階４３０で制御部１３０が予め設定された時間以上ズームインまたはズームアウト連続入力を感知しない場合、段階４５０で端末は１００は当該の機能を行う。これは制御部１３０が１回に該当するズームインまたはズームアウト動作のみを感知してこれを表示部１２３が表示するようにする場合である。
【００５１】
図６を参照すれば、段階４４０はズームレベルの調節のためのツールバーをディスプレーする段階をさらに含む。すなわち、上記説明した端末のズームレベル調節方法によって表示部１２３は第２ズームレベル画面をディスプレーする。しかし、予め決まった倍率程度拡大または縮小した画面の第２ズームレベルに近接した他のズームレベルを呼び出そうとする時、  使用者が再び本発明のズームレベル調節方法によってズームジャンプやズームダウンでズームレベルを変更しようとすると、  精緻なズームレベル変更が難しいことがある。また再び繰り返されたピンチインまたはピンチアウトの入力が必要なことがあるのでこれを避けるために制御部１３０は、別途のレイヤー（ｌａｙｅｒ）または画面の特定位置にツールバー（ｔｏｏｌｂａｒ）を表示するように表示部１２３を制御することができる。タッチスクリーンパネル１２１は、このような表示されたツールバーの位置に使用者からズームレベル調節入力を受けて制御部１３０は該当するズームレベルで画面を調節してディスプレーするように表示部１２３を制御する。
【００５２】
以上、本発明の具体的な実施形態に関して説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００５３】
１００  端末
１１０  通信部
１２０  タッチスクリーン
１２１  タッチスクリーンパネル
１２３  表示部
１３０  制御部
【図１】
2014063498.tif 000003
【図２】
2014063498.tif 000004
【図３】
2014063498.tif 000005
【図４】
2014063498.tif 000006
【図５】
2014063498.tif 000007
【図６】
2014063498.tif 000008